(57)【特許請求の範囲】
【請求項１】
軟質材料から形成されており、
全体が帯状を呈する、ネクタイとも呼ばれるものであり、
その表裏両面それぞれに、凸条が互いに平行に形成されており、
その中央部から、ネクタイ長手方向の一方側に形成された凸条のネクタイ長手方向に対してなす角度と、他方側に形成された凸条のネクタイ長手方向に対してなす角度とが、異なっている、疑似餌用の揺動体。
【請求項２】
高比重材料からなるヘッドと、
このヘッドに取り付けられるフックアッセンブリーと、
ヘッドに取り付けられる軟質材料からなる揺動体とを備えており、
この揺動体が、請求項１に記載の揺動体である、疑似餌。
【発明の詳細な説明】
【技術分野】
【０００１】
本発明は、釣りに用いられる疑似餌、及び、疑似餌用の揺動体に関する。
【背景技術】
【０００２】
カブラと称される疑似餌を用いて、鯛釣りが行われている。この疑似餌は、金属製のヘッド、ゴム製のスカート及びネクタイ並びにフックアッセンブリーを備えている。フックアッセンブリーは、フック及び鉤素を有している。この疑似餌は、ラインが結ばれた状態で、海底に沈められる。ラインが引かれて疑似餌が海水中を上昇すると、ヘッドのフラッシングが鯛にアピールする。さらに、水圧を受けてスカート及びネクタイが揺れ動く。この揺動により、鯛は疑似餌を生きた餌と勘違いし、この疑似餌を追う。鯛はまず、スカート又はネクタイに食いつく。この段階では、フッキングはなされていない。さらに鯛が疑似餌に深く食いつき、フックが鯛の口に吸い込まれる。このフックが鯛に刺さって、鯛が釣り上げられる。鯛釣りに適した疑似餌が、特開２００８−２１２１４６公報に開示されている。
【先行技術文献】
【特許文献】
【０００３】
【特許文献１】特開２００８−２１２１４６公報
【発明の概要】
【発明が解決しようとする課題】
【０００４】
上記ネクタイはシート状を呈している。また、スカートやネクタイは、一般的には、ゴムラテックスからなる。このゴムラテックスの表面同士は粘着しやすい。シート状のネクタイ同士は粘着しやすい。粘着したネクタイ同士は、水中に投下された後も、離間しないことがある。かかる状態のネクタイに対しては、効果的な揺動が期待できない。粘着状態のネクタイは、鯛などの魚にアピールしうる泳ぎができない。ネクタイに限らず、自然の状態になく、粘着して拘束された状態の疑似餌用の揺動体は、魚に対するアピール性のある動きをとることが困難である。
【０００５】
本発明の目的は、揺動体同士の粘着が抑制され、魚に対するアピール性のある動きが維持されうる疑似餌及び疑似餌用揺動体の提供にある。ここで、疑似餌用揺動体には、疑似餌自体が揺動体であるものも含まれる。
【課題を解決するための手段】
【０００６】
本発明に係る疑似餌用の揺動体は、軟質材料から形成されており、
その表面に、複数の凸条及び複数の凸部の少なくとも一方が形成されている。
【０００７】
上記揺動体は、好ましくは、少なくともその一部に、シート状を呈する部分を有しており、このシート状部分の表面に、上記凸条及び凸部の少なくとも一方が形成されている。
【０００８】
揺動体は、好ましくは、全体が帯状を呈する、ネクタイとも呼ばれるものであり、
その表裏両面それぞれに、上記凸条が互いに平行に形成されており、
その中央部から、ネクタイ長手方向の一方側に形成された凸条のネクタイ長手方向に対してなす角度と、他方側に形成された凸条のネクタイ長手方向に対してなす角度とが異なっている。
【０００９】
本発明に係る疑似餌は、
高比重材料からなるヘッドと、
このヘッドに取り付けられるフックアッセンブリーと、
ヘッドに取り付けられる軟質材料からなる揺動体とを備えており、
この揺動体が、前述したいずれかの揺動体から構成されている。
【発明の効果】
【００１０】
本発明に係る疑似餌用の揺動体では、揺動体同士の粘着が抑制され、魚に対するアピール性のある動きが維持されうる。この揺動体の泳ぎが魚を誘う。この揺動体を備えた疑似餌により、高いヒット率が達成される。
【図面の簡単な説明】
【００１１】
【図１】図１は、本発明の一実施形態に係る疑似餌を示す一部切り欠き正面図である。
【図２】図２（ａ）は、本発明の一実施形態に係る疑似餌用のネクタイを示す正面図であり、図２（ｂ）は、その背面図である。
【図３】図３（ａ）は、図２に示されたネクタイのＩＩＩＡ−ＩＩＩＡ線に沿って見た側面図であり、図３（ｂ）は、ＩＩＩＢ−ＩＩＩＢ線に沿って見た側面図である。
【図４】図４（ａ）は、他のネクタイを示す正面図であり、図２（ｂ）は、さらに他のネクタイを示す正面図である。
【発明を実施するための形態】
【００１２】
以下、適宜図面が参照されつつ、好ましい実施形態に基づいて本発明が詳細に説明される。
【００１３】
図１は、本発明の一実施形態に係る疑似餌２が示された正面図である。この疑似餌２は、カブラと称される。この疑似餌２は、ヘッド４、装着具６、スプリットリング８、フックアッセンブリー１０、スカート１２及びネクタイ１４を備えている。
【００１４】
ヘッド４は、概して球形である。ヘッド４が他の形状を呈してもよい。ヘッド４は、海水よりも高比重な材料からなる。従って、ヘッド４は海水に沈む。典型的には、ヘッド４は、主成分としてタングステンを含んでいる。このヘッド４は、焼結によって成形されている。ヘッド４は、鉛又は鉛合金からなってもよい。
【００１５】
ヘッド４は孔１６を有している。孔１６はヘッド４を貫通している。この孔６に、装着具６が挿通されている。装着具６は板状である。装着具６は、板状には限定されず、例えば金属線材等から形成されてもよい。装着具６の、一端側にはラインアイ１８が形成され、他端側にはフックアイ２０が形成されている。ラインアイ１８及びフックアイ２０は、ヘッド４から露出している。
【００１６】
スプリットリング８はラインアイ１８に取り付けられている。ラインアイ１８には、このスプリットリング８を介してライン５０が連結されている。スプリットリング８は、孔１６に入り込め得ないほど大きい。従って、このスプリットリング８は、図１における右方向への、ヘッド４からの装着具６の抜け出しを阻止する。
【００１７】
フックアッセンブリー１０は、フック２２及び鉤素２４からなる。フック２２は、金属材料からなる。鉤素２４は、柔軟な材料からなる。鉤素２４の典型的な材質は、アラミド繊維（登録商標「ケブラー」）である。鉤素２４は、フックアイ２０に結ばれている。鉤素２４の一端には、フック２２が固定されている。
【００１８】
スカート１２は、多数の糸２６からなる。この糸２６は、「揺動体」である。この糸２６は、軟質材料からなる。この糸２６は、エラストマー材料からなる。典型的には、この糸２６は、ラテックス製法によって得られるゴム組成物からなる。この製法では、天然ゴムラテックス又は合成ゴムラテックスに、架橋剤及び着色剤が添加され、ラテックス組成物が得られる。このラテックス組成物から、シートが成形される。このシートが加熱されることで、ゴムの架橋反応が起こる。このシートが裁断されて、ゴム糸２６が得られる。このスカート１２は、軟質合成樹脂製の紐から構成されてもよい。
【００１９】
このゴム糸２６の長手方向中央部近傍は、ゴムバンド２８によって装着具６に装着されている。スカート１２はゴムバンド２０において折られ、その両側が下方に向かって延びている。ゴム糸２６は、柔軟である。水圧を受けたとき、ゴム糸２６は揺らめいて、魚にアピールする。スカート１２は設けられなくてもよい。
【００２０】
ネクタイ１４は帯状である。図２に示されるように、このネクタイ１４の外形は、概ねＵ字状である。このネクタイ１４の幅は、その長手方向中央部（Ｕ字の底）４０から両端部４２に向かって広がり、途中から各端部４２に向かって幅が縮小している。また、ネクタイ１４の厚さも、長手方向中央部４０から両端部４２に向かって厚くなり、途中から各端部４２に向かって薄くなっている。しかし、ネクタイは、特にこの外形には限定されない。
【００２１】
このネクタイ１４も、「揺動体」である。このネクタイ１４も軟質材料からなる。このネクタイ１４は、エラストマー材料からなる。典型的には、ネクタイ１４は、ラテックス製法により得られるゴム組成物からなる。この製法では、天然ゴムラテックス又は合成ゴムラテックスに、架橋剤及び着色剤が添加され、ラテックス組成物が得られる。このラテックス組成物から、シートが成形される。このシートが加熱されることで、ゴムの架橋反応が起こる。このシートが帯状に裁断されて、ネクタイ１４が得られる。ネクタイ１４は、軟質合成樹脂から形成されてもよい。
【００２２】
このネクタイ１４の中央近傍は、ゴムバンド２８によって装着具６に装着されている。ネクタイ１４はゴムバンド２０において折られ、その両側が下方に向かって延びている。ネクタイ１４は柔軟である。水圧を受けたとき、ネクタイ１４は揺れ動いて（はためいて）、魚にアピールする。ネクタイ１４は設けられなくてもよい。
【００２３】
釣り人は、この疑似餌２を海水に投入する。疑似餌２は、高比重なヘッド４を備えているので、海水中を沈降して着底する。釣り人がライン５０を引くことで、疑似餌２は海水中を上昇する。ライン５０が引かれることで、スカート１２及びネクタイ１４が水圧を受ける。スカート１２及びネクタイ１４は、揺れ動く。この揺動は、魚にアピールする。例えば、鯛は、疑似餌２をゴカイ、イソメ等の多毛類と勘違いし、疑似餌２を追う。鯛は、疑似餌２に食いつく。鯛はまず、スカート１２又はネクタイ１４に食いつく。さらに鯛は、フック２２を吸い込む。このフック２２が鯛に突き刺さり、鯛が釣り上げられる。この疑似餌２のヒット率は高い。
【００２４】
ゴムラテックス等からなるスカート１２やネクタイ１４には、その表面に粘着性が認められるものがある。この粘着力は強くはない。しかし、ゴムラテックスの平面同士が押圧されると、粘着状態が維持されてしまう可能性がある。例えば、従来のネクタイ同士が、重なった状態で押圧されると、粘着することがある。ネクタイ同士が粘着した状態で水中に投入されても、互いに離間しないおそれがある。この場合、そのネクタイは、不自然な動きをするおそれがある。また、ネクタイが折れ曲がった状態で粘着している場合にも、そのはためきが抑制される。このようなネクタイには、魚に対する効果的なアピールが期待できない
【００２５】
上記疑似餌２に装着されたネクタイ１４には、このような粘着を防止する工夫がなされている。図２及び図３に示されるように、このネクタイ１４は、シート状の本体３０と、本体３０の表面に形成された凸条３２とから構成されている。本体３０の表裏両面それぞれに、複数の凸条３２が形成されている。この凸条３２により、ネクタイ同士の面接触が抑制され、粘着が防止されうる。面接触であっても、接触面積が小さくなれば、粘着のおそれはなくなる。図２（ａ）はネクタイ１４の正面図であり、図２（ｂ）は背面図である。図３（ａ）は、図２に示されたネクタイのＩＩＩＡ−ＩＩＩＡ線に沿って見た側面図であり、図３（ｂ）は、ＩＩＩＢ−ＩＩＩＢ線に沿って見た側面図である。ネクタイ１４の長手方向中央部４０には、凸条３２は必要ではない。しかし、この中央部４０に凸条が形成されてもよい。複数の凸条３２は、ほぼ等間隔を置いてほぼ平行に形成されている。しかし、かかる形状には限定されない。等間隔でなくてもよく、平行でなくてもよい。以上のような凸条３２同士の間は、溝と呼ぶことができる。
【００２６】
図３に示されるように、本実施形態では、凸条３２は、ネクタイ１４の表裏両面のみならず、幅の狭い両側面にも形成されている。このネクタイ１４の側面の凸条３２は、表裏両面の凸条３２とつながっている。換言すれば、凸条３２は、ネクタイ１４を一周して取り囲むように、ループ状に形成されている。多数の凸条ループが、間隔を置いて配列されている。しかし、凸条３２は、表裏両面のみに形成されてもよい。
【００２７】
図２に示されるように、ネクタイ１４の中央部４０から、長手方向の一方側に形成された凸条３２ａの方向と、他方側に形成された凸条３２ｂの方向とが異なっている。本実施形態では、図２（ａ）において、ネクタイ１４の左半分の凸条３２ａが、その表裏両面ともに、ネクタイ１４の長手方向に対して約９０°傾斜している。ネクタイ１４の右半分の凸条３２ｂは、その一方側の面（表側の面）ではネクタイ１４の長手方向に対して約４５°傾斜し、他方側の面（裏面）では長手方向に対して約１３５°傾斜している。このネクタイ１４によれば、その左側部分と右側部分とは、互いに重なり合った場合に、凸条３２同士が交差するであろう。その結果、ネクタイ１４は、面接触することはもとより線接触することも困難となり、点接触する可能性が高い。これにより、粘着が防止されうる。
【００２８】
例え表面に粘着性のあるネクタイ１４であっても、点接触又は線接触では粘着状態が維持できない。特に、点接触の場合の粘着力は一層弱くなる。ネクタイ１４の弾力的な復元力により、粘着状態が瞬時に解除されうる。かかる観点から、凸条３２の幅は小さい方が好ましい。凸条３２の横断面の形状は、その頂上が円弧状又は角状となっているものが好ましい。接触面積が小さくなるからである。
【００２９】
ネクタイの長手方向に対する凸条３２のなす角度は、上記には限定されない。しかし、線接触よりは点接触が好ましいとの観点から、ネクタイの右側の凸条の方向と左側の凸条の方向とが異なっているのが好ましい。このネクタイ１４では、表側の面の凸条３２の位置と、裏面の凸条３２の位置とが一致している。これは、製造容易のためである。ネクタイ１４の作用効果にとっては、表裏の凸条の形成位置は一致していなくてもよい。凸条の方向は、ネクタイ１４の可撓性及び柔軟性を損なわない範囲で、ネクタイ１４の長手方向と同一又はそれに近くてもよい。また、複数の凸条は、互いに交差したもの、例えば格子状、であってもよい。
【００３０】
図４に示されるように、上記凸条３２に代えて、又は、凸条３２と共に、凸部３８が形成されてもよい。この凸部３８は、概ね半球状を呈している。しかし、凸部３８は、半球状には限定されず、円錐状、角錐状等であってもよい。凸部３８は、その上端が半球状又は円錐状を呈した円柱状であってもよい。凸部３８は、その上端が角錐状を呈した角柱状であってもよい。これらの形状は、接触面積が小さくなるので好ましい。
【００３１】
図４（ａ）のネクタイ３４では、その中央部４０を除く全体の表裏両面に、多数の凸部３８が形成されている。この凸部３８は、不規則に、すなわちランダムに配置されている。しかし、凸部３８は、規則的に配列されてもよい。凸部３８は、例えば、縦方向及び横方向ともに同一間隔を置いて整列されてもよい。また、凸部３８は、異なる間隔で配列されてもよい。この凸部３８により、ネクタイ同士の面接触が防止され、粘着が防止されうる。このネクタイ３４では、線接触すらも防止される。凸部３８以外の部分は、凹所と呼ぶことができる。凸部３８は、本体３０の表裏両面のみならず、側面に形成されてもよい。
【００３２】
図４（ｂ）のネクタイ３６では、その中央部４０から長手方向の一方側（図中左側）に凸条３２が形成され、他方側（図中右側）に凸部３８が形成されている。凸条３２は、ネクタイ３６の長手方向に対して約９０°傾斜している。この傾斜角は、９０°に限定されない。傾斜角は、例えば、４５°でもよく、０°でもよい。この凸条３２は、前述した図２（ａ）のネクタイ１４の左側半分に形成された凸条３２ａと同一であるため、その説明が省略される。上記凸部３８は、不規則に配置されている。しかし、かかる配置には限定されない。凸部３８は、縦横ともに同一間隔を置いて整列されてもよく、他の規則に沿って整列されてもよい。この凸条３２及び凸部３８により、ネクタイ同士の面接触が防止され、粘着が防止されうる。このネクタイ３４では、線接触すらも防止されうる。
【００３３】
図示されてはいないが、凸条３２と凸部３８とが混合した状態で形成されてもよい。例えば、凸条３２同士の間に、複数個の凸部３８が形成されてもよい。この場合、凸条３２同士の間隔は、図２及び図４に示された凸条３２の間隔より大きくすることができる。また、格子状に形成された凸条３２の、矩形のスペース内に、一個又は複数個の凸部３８が形成されてもよい。
【００３４】
以上説明された複数の凸条３２は、同一高さに統一される必要はない。また、多数の凸部３８も、同一高さに統一される必要はない。凸条３２と凸部３８とが同一高さに統一される必要はない。
【００３５】
以上説明された凸条３２は、格子状も含めて、全て直線状である。しかし、凸条は直線状には限定されず、曲線状であってもよい。例えば、凸条がループを形成していてもよい。このような場合、凸条以外の部分を凹所と呼ぶこともできる。このループの内部の凹所に、凸部３８が形成されていてもよい。
【００３６】
以上説明された疑似餌はカブラであり、揺動体はカブラに装着されたネクタイ及びスカートである。しかし、疑似餌及び揺動体は、これらには限定されない。粘着性を持った表面を有する他の揺動体、いわゆるワームと呼ばれるものを含むルアーに適用可能である。すなわち、ここでいう「疑似餌用揺動体」には、疑似餌自体が揺動体であるものも含まれている。また、ネクタイも、図２及び図４に示された形状には限定されない。Ｓ字状等の外形を有するネクタイであってもよい。
【産業上の利用可能性】
【００３７】
本発明に係る疑似餌は、鯛のみならず、太刀魚、ヒラメ、アイナメ、マゴチ、フグ等の種々の魚をターゲットにした釣りに適している。
【符号の説明】
【００３８】
２・・・疑似餌（カブラ）
４・・・ヘッド
６・・・装着具
８・・・スプリットリング
１０・・・フックアッセンブリー
１２・・・スカート
１４、３４、３６・・・ネクタイ
１６・・・孔
１８・・・ラインアイ
２０・・・フックアイ
２２・・・フック
２４・・・鉤素
２６・・・ゴム糸
２８・・・ゴムバンド
３０・・・（ネクタイの）本体
３２・・・凸条
３８・・・凸部
４０・・・（ネクタイの）中央部
４２・・・（ネクタイの）端部
５０・・・ライン
【図１】
0006488176.tif 000002
【図２】
0006488176.tif 000003
【図３】
0006488176.tif 000004
【図４】
0006488176.tif 000005